(57)【要約】  リモートコントローラ（２）の制御部（２６）は、取得した環境データが、予め設定した基準範囲に収まっているか否かを判定し、環境データが基準範囲に収まっていない場合、空調機を現在の運転状態とは異なる他の運転状態に変更するための自動運転制御の要否を判定する。そして、制御部（２６）は、空調機に対する自動運転制御の必要があると判定した場合、その許可をユーザに問い合わせるための自動運転許可画面をユーザインタフェース部（２０）に所定時間表示させる。制御部（２６）は、この自動運転許可画面を介して、ユーザによって自動運転制御を許可する旨の操作が行われた場合、又は、ユーザによって自動運転許可画面を介した操作が行われなかった場合、上記の他の運転状態に変更するための自動運転制御を行う。
2014076793.tif 000002
【特許請求の範囲】
【請求項１】
空調機の運転を制御するリモートコントローラであって、
前記空調機と通信を行う通信部と、
ユーザから入力操作を受け付けると共に、情報の表示を行うユーザインタフェース部と、
前記空調機の空調対象空間における所定の物理量に基づく環境データを取得する環境データ取得部と、
前記取得された環境データが、予め設定した基準範囲に収まっているか否かを判定する環境データ監視部と、
前記環境データが前記基準範囲に収まっていない場合、前記空調機を現在の運転状態とは異なる他の運転状態に変更するための自動運転制御の要否を判定する自動運転要否判定部と、
前記自動運転要否判定部によって前記自動運転制御の必要があると判定された場合、前記自動運転制御の許可をユーザに問い合わせるための自動運転許可画面を前記ユーザインタフェース部に所定時間表示させる自動運転許可問合部と、
前記自動運転許可画面を介して、ユーザによって前記自動運転制御を許可する旨の操作が行われた場合、又は、ユーザによって前記自動運転許可画面を介した操作が行われなかった場合、前記空調機に対して、前記他の運転状態に変更するための自動運転制御を行う自動運転実行部と、を備えるリモートコントローラ。
【請求項２】
前記環境データと、ユーザによる空調に関する操作内容と、を対応付けた自動運転情報を統計的に学習することで構築する自動運転情報構築部と、
前記自動運転情報を記憶するデータ記憶部と、をさらに備え、
前記自動運転要否判定部は、前記自動運転情報も加味して前記判定を行う請求項１に記載のリモートコントローラ。
【請求項３】
所定のタイミングで前記環境データの今後の所定時間における推移を予測する予測部と、
前記予測部による予測結果を所定態様で前記ユーザインタフェース部に表示させる予測表示部と、をさらに備える請求項１又は２に記載のリモートコントローラ。
【請求項４】
前記物理量を計測し、計測した結果を前記環境データ取得部に出力するセンサを更に備える、請求項１乃至３の何れか１項に記載のリモートコントローラ。
【請求項５】
請求項１乃至４の何れか１項に記載のリモートコントローラと、空調機と、を備える空調システム。
【請求項６】
コンピュータを、
空調機の空調対象空間における所定の物理量に基づく環境データを取得する環境データ取得部、
前記取得された環境データが、予め設定した基準範囲に収まっているか否かを判定する環境データ監視部、
前記環境データが前記基準範囲に収まっていない場合、前記空調機を現在の運転状態とは異なる他の運転状態に変更するための自動運転制御の要否を判定する自動運転要否判定部、
前記自動運転要否判定部によって前記自動運転制御の必要があると判定された場合、前記自動運転制御の許可をユーザに問い合わせるための自動運転許可画面をユーザインタフェース部に所定時間表示させる自動運転許可問合部、
前記自動運転許可画面を介して、ユーザによって前記自動運転制御を許可する旨の操作が行われた場合、又は、ユーザによって前記自動運転許可画面を介した操作が行われなかった場合、前記空調機に対して、前記他の運転状態に変更するための自動運転制御を行う自動運転実行部、として機能させるプログラム。
【発明の詳細な説明】
【技術分野】
【０００１】
本発明は、リモートコントローラ、空調システム及びプログラムに関する。
【背景技術】
【０００２】
従来より、空調対象空間における所定の物理量を計測するセンサからの情報に基づいて、当該空調対象空間の空調を自動で制御する技術が種々提案されている。例えば、特許文献１には、人感センサが人の有無状態を検知した上で、空調機の運転が実際に必要な状態であるか否かを判断して、空調機を効率良く運転することを目的とした空調機用の自動運転制御システムが開示されている。【０００３】
より詳細には、上記特許文献１に開示の自動運転制御システムは、始業時から空調機を一定時間強制運転する手段と、この強制運転後に、所定間隔で人感センサによる人の有無状態の検知を行う手段と、所定時間内に１回でも有人状態を認識すると、空調機を一定時間無条件で運転する手段と、所定時間内に無人状態を所定回数連続して認識した場合に、空調機の運転を停止する手段と、を備える。また、このシステムは、空調機の運転停止後、所定時間内に一定の回数連続して有人を認識すると、空調機を一定時間無条件で運転する手段と、終業時に空調機の運転を停止する手段と、を備える。【０００４】
上記のシステムは、空調対象空間における人の有無状態に基づいて、空調機の運転開始・停止を制御するものであるが、この他、センサにより計測された室内の温度や湿度等に基づいて、空調機を自動運転する技術もよく知られている。
【先行技術文献】
【特許文献】
【０００５】
【特許文献１】特開２００７−５７１０６号公報
【発明の概要】
【発明が解決しようとする課題】
【０００６】
ところで、室内環境における快適性の評価は、個人間で様々であるといえる。また、同じユーザであっても、当該室内の用途、現時点のユーザの体調や意図（例えば、省エネを重視など）などによっても、所望する空調の内容は変化するものといえる。【０００７】
しかしながら、特許文献１に開示されるシステムのような、センサの検出結果等に基づいて空調機の自動運転制御を行う従来の技術では、空調に対して上記のように変化するユーザのニーズへの配慮が十分であるとはいえなかった。【０００８】
本発明は、上記実情に鑑みてなされたものであり、センサからの情報に基づいた空調機の自動運転制御において、ユーザのニーズにより即した空調を実現するためのリモートコントローラ、空調システム及びプログラムを提供することを目的とする。
【課題を解決するための手段】
【０００９】
上記目的を達成するため、本発明に係るリモートコントローラは、
空調機の運転を制御するリモートコントローラであって、
前記空調機と通信を行う通信部と、
ユーザから入力操作を受け付けると共に、情報の表示を行うユーザインタフェース部と、
前記空調機の空調対象空間における所定の物理量に基づく環境データを取得する環境データ取得部と、
前記取得された環境データが、予め設定した基準範囲に収まっているか否かを判定する環境データ監視部と、
前記環境データが前記基準範囲に収まっていない場合、前記空調機を現在の運転状態とは異なる他の運転状態に変更するための自動運転制御の要否を判定する自動運転要否判定部と、
前記自動運転要否判定部によって前記自動運転制御の必要があると判定された場合、前記自動運転制御の許可をユーザに問い合わせるための自動運転許可画面を前記ユーザインタフェース部に所定時間表示させる自動運転許可問合部と、
前記自動運転許可画面を介して、ユーザによって前記自動運転制御を許可する旨の操作が行われた場合、又は、ユーザによって前記自動運転許可画面を介した操作が行われなかった場合、前記空調機に対して、前記他の運転状態に変更するための自動運転制御を行う自動運転実行部と、を備える。
【発明の効果】
【００１０】
本発明は、センサからの情報に基づいた空調機の自動運転制御を実行する際、その許可を問い合わせるための画面を表示する。したがって、自動運転という利便性を維持しつつ、ユーザのニーズにより即した空調を実現することができる。
【図面の簡単な説明】
【００１１】
【図１】本発明の実施形態１に係る空調システムの構成を示す図である。
【図２】本発明の実施形態１に係るリモートコントローラの構成を示すブロック図である。
【図３】実施形態１のリモートコントローラの外観（前面側）を示す図である。
【図４】実施形態１のリモートコントローラが備える制御部の機能構成を示すブロック図である。
【図５】自動運転許可画面の一例を示す図（その１）である。
【図６】自動運転許可画面の一例を示す図（その２）である。
【図７】自動運転制御処理の手順を示すフローチャートである。
【図８】本発明の実施形態２に係るリモートコントローラが備える制御部の機能構成を示すブロック図である。
【図９】実施形態２の変形例における自動運転許可画面の一例を示す図（その１）である。
【図１０】実施形態２の変形例における自動運転許可画面の一例を示す図（その２）である。
【図１１】本発明の実施形態３に係るリモートコントローラが備える制御部の機能構成を示すブロック図である。
【図１２】実施形態３における予測推移画面の一例を示す図である。
【図１３】実施形態３の変形例における予測推移画面の一例を示す図である。
【図１４】本発明の他の実施形態に係るリモートコントローラの外観（前面側）を示す図である。
【図１５】本発明の他の実施形態に係る空調システムの構成を示す図である。
【発明を実施するための形態】
【００１２】
以下、本発明の実施形態について図面を参照して詳細に説明する。
【００１３】
（実施形態１）
図１は、本発明の実施形態１に係る空調システム１の構成を示す図である。この空調システム１は、例えば、オフィスビル内の所定の空調対象空間（エリアＡ）の空調を行うためのシステムであり、図１に示すように、リモートコントローラ２と、空調機３と、を含んで構成される。
【００１４】
リモートコントローラ２と空調機３は、ネットワーク４を介して相互にデータ通信可能に接続される。ネットワーク４は、一般的な空調システムにおける周知のネットワーク技術により構築される。なお、図１においては、１台の空調機３がネットワーク４に接続している様子を示しているが、空調機３は１台以上であればよく、その数に限定はない。
【００１５】
リモートコントローラ２は、エリアＡの空気状態（温度、湿度など）が、ユーザが所望する状態になるように空調機３の運転を制御する装置である。リモートコントローラ２は、図２に示すように、ユーザインタフェース部２０と、温度センサ２１と、湿度センサ２２と、人感センサ２３と、通信部２４と、データ記憶部２５と、制御部２６と、を備える。
【００１６】
ユーザインタフェース部２０は、例えば、ＬＣＤ（Liquid Crystal Display）パネル又は有機ＥＬ（Electro-Luminescence）パネル等の表示部と、タッチパッド等の入力部と、を含んで構成される。ユーザインタフェース部２０は、制御部２６からの指示に応じて、ユーザ操作用の画面や、現在の運転モード（暖房／冷房／除湿／送風など）、目標温度、目標湿度、空気温度、湿度、風量等、空調に関する種々の情報を表示する。また、ユーザインタフェース部２０は、ユーザからの入力操作を受け付け、受け付けた入力操作に応じた信号を制御部２６に出力する。
【００１７】
温度センサ２１は、エリアＡの空気温度を計測するセンサであり、湿度センサ２２は、エリアＡの湿度を計測するセンサである。温度センサ２１及び湿度センサ２２は、制御部２６からの指示に応じて、それぞれ空気温度及び湿度を計測し、各々の計測結果を制御部２６に出力する。
【００１８】
人感センサ２３は、人の動きを検出するセンサである。人感センサ２３は、例えば、焦電型赤外線センサであり、所定の温度差による赤外線入射量の変化を検出すると、その旨の信号（動き検出信号）を制御部２６に出力する。
【００１９】
温度センサ２１、湿度センサ２２、人感センサ２３は、それぞれ、リモートコントローラ２の前面に設けられる（図３参照）。
【００２０】
通信部２４は、例えば、ネットワークカード等の通信インタフェースで構成され、制御部２６の制御の下、ネットワーク４を介して、空調機３と所定の通信方式に則った通信を行う。データ記憶部２５は、フラッシュメモリ等の読み書き可能な不揮発性の半導体メモリ等から構成され、空調機３を制御するためのプログラムや各種のデータ等を記憶する。
【００２１】
制御部２６は、ＣＰＵ（Central Processing Unit）、ＲＯＭ（Read Only Memory）、ＲＡＭ（Random Access Memory）等（何れも図示せず）を含んで構成され、空調機用の一般的なリモートコントローラが備える機能に係る処理を実行する。即ち、制御部２６は、ユーザインタフェース部２０が、空調の設定に関するユーザ操作（空調操作）を受け付けると、受け付けた空調操作の内容に基づいて、空調機３の運転を制御する。
【００２２】
また、制御部２６は、本発明特有の機能として、所定条件の下で空調機３の自動運転制御を行う。図４は、自動運転制御に関する制御部２６の機能構成を示すブロック図である。図４に示すように、制御部２６は、機能的には、環境データ取得部２６０と、環境データ監視部２６１と、自動運転要否判定部２６２と、自動運転許可問合部２６３と、自動運転実行部２６４と、を備える。これらの構成部の機能は、ＣＰＵ等が、データ記憶部２５に記憶されている所定のプログラムを実行することで実現される。
【００２３】
環境データ取得部２６０は、温度センサ２１、湿度センサ２２及び人感センサ２３のそれぞれの計測結果を取得する。環境データ取得部２６０は、環境データ監視部２６１から、環境データの供給要求を受けると、温度センサ２１及び湿度センサ２２に対して計測を指示するデータ（計測指示データ）を出力する。環境データ取得部２６０は、かかる計測指示データに応答して、温度センサ２１及び湿度センサ２２から出力された計測結果、即ち、空気温度及び湿度を取得する。環境データ取得部２６０は、取得した空気温度及び湿度を要求元の環境データ監視部２６１に供給する。
【００２４】
また、環境データ取得部２６０は、過去所定時間以内に、人感センサ２３から上記の動き検出信号が出力された回数をカウントし、環境データ監視部２６１から環境データの供給要求を受けると、カウントした回数（動き頻度）を要求元の環境データ監視部２６１に供給する。
【００２５】
環境データ監視部２６１は、ユーザによって空調に関する操作（空調操作）が行われてから所定時間（例えば、１時間）が経過し、且つ、前回の自動運転制御処理（詳細は後述する）の終了から所定時間（例えば、１時間）が経過した場合、所定の時間間隔（例えば、１分間隔）で、環境データ取得部２６０に対して、上記の環境データの供給要求を出力する。そして、かかる供給要求に応答して環境データ取得部２６０から各環境データ（温度、湿度及び動き頻度）が供給されると、供給された各環境データが、予め設定されたそれぞれの基準範囲に収まっているか否かを判定する。
【００２６】
具体例を挙げると、環境データが空気温度の場合では、基準範囲として、下限温度：２０℃、上限温度：２８℃が設定されている。また、環境データが湿度の場合では、基準範囲として、下限湿度：２０％、上限湿度：８０％が設定されている。また、また、環境データが動き頻度の場合では、基準範囲として、下限値：１回、上限値：１０回が設定されている。
【００２７】
なお、空気温度の基準範囲については、夏季用、冬季用等、複数種類用意されており、上記の例は、夏季用を示している。
【００２８】
環境データ監視部２６１は、対応する基準範囲に収まっていない環境データが存在する場合、その旨の情報（環境データ注意情報）を自動運転要否判定部２６２に供給する。この環境データ注意情報には、例えば、当該環境データ、当該環境データの種別、基準範囲の上下何れの方向で外れたのかを示す情報などが含まれる。
【００２９】
自動運転要否判定部２６２は、環境データ監視部２６１から供給された環境データ注意情報と、空調機３の現在の運転状態と、に基づいて、空調機３を、現在の運転状態とは異なる他の運転状態に変更するための自動運転制御の実行の要否を判定する。
【００３０】
以下、自動運転要否判定部２６２の判定手法について、空気温度が基準範囲から外れている場合を例にして説明する。また、理解を容易にするため、以下の例では、季節が夏季であり、空調機３は冷房を目的として使用されるものとする。
【００３１】
（１）上限温度（例えば、２８℃）より高い場合
空調機３の運転が停止中の場合、自動運転要否判定部２６２は、空調機３に対する自動運転制御（冷房運転を開始させる制御）の実行が必要であると判定する。一方、空調機３が、冷房運転中の場合、自動運転要否判定部２６２は、空調機３に対する自動運転制御の実行は必要でないと判定する。
【００３２】
（２）下限温度（例えば、２０℃）より低い場合
空調機３の運転が停止中の場合、自動運転要否判定部２６２は、空調機３に対する自動運転制御の実行は必要でないと判定する。一方、空調機３が冷房運転中の場合、自動運転要否判定部２６２は、空調機３に対する自動運転制御（運転停止）の実行が必要であると判定する。
【００３３】
自動運転要否判定部２６２は、上記のような判定により、空調機３に対する自動運転制御の実行、即ち、他の運転状態への変更が必要であると判定すると、その旨の情報（変更要求情報）を自動運転許可問合部２６３に供給する。ここで、この変更要求情報には、例えば、上記の他の運転状態などが含まれる。
【００３４】
自動運転許可問合部２６３は、自動運転要否判定部２６２から、上記の変更要求情報の供給を受けると、図５に示すように、空調機３に対する自動運転の許可をユーザに問い合わせるための画面（自動運転許可画面）を所定時間（例えば、３分間）、ユーザインタフェース部２０の表示部に表示させる。
【００３５】
自動運転実行部２６４は、ユーザにより、上記の自動運転許可画面にて、ＯＫボタンが押下操作された場合、又は、上記の自動運転許可画面の表示中に、ユーザによる操作が行われなかった場合、自動運転要否判定部２６２による判定で得られた、現在の運転状態とは異なる他の運転状態となるように、空調機３の運転を制御する。
【００３６】
その際、例えば、他の運転状態が冷房運転の場合、設定する目標温度や風量等のパラメータの値は、予めデータ記憶部２５に保存されているパラメータ情報を参照することで取得する。パラメータ情報には、空調機３の自動運転制御を行う際に使用するパラメータ（目標温度、目標湿度、風量等）の標準値が、運転モード（暖房／冷房／除湿／送風など）と対応付けられて格納されている。
【００３７】
なお、自動運転許可問合部２６３は、このパラメータ情報を参照することで、図６に示すように、自動運転許可画面に、より詳細な情報を含めるようにしてもよい。
【００３８】
図７は、以上のように構成されたリモートコントローラ２の制御部２６により実行される自動運転制御処理の手順を示すフローチャートである。この自動運転制御処理は、ユーザによるユーザインタフェース部２０の入力部を介した空調操作が行われてから所定時間が経過し、且つ、前回の自動運転制御処理の終了から所定時間が経過すると開始される。
【００３９】
先ず、環境データ監視部２６１は、環境データの取得を行う（ステップＳ１０１）。詳細には、環境データ監視部２６１は、環境データ取得部２６０に対して、環境データの供給要求を行う。かかる要求を受けると、環境データ取得部２６０は、温度センサ２１及び湿度センサ２２から、上述したようにして空気温度及び湿度を取得し、取得した空気温度及び湿度を環境データ監視部２６１に供給する。また、環境データ取得部２６０は、上述したように、人感センサ２３からの過去所定時間以内における動き検出信号の出力回数を環境データ監視部２６１に供給する。以上のようにして、環境データ監視部２６１は、環境データ（空気温度、湿度、動き頻度）を取得する。
【００４０】
環境データ監視部２６１は、取得した各環境データ毎に、それぞれ対応する基準範囲に収まっているか否かを判定する（ステップＳ１０２）。その結果、対応する基準範囲に収まっていない環境データが存在する場合（ステップＳ１０２；ＮＯ）、環境データ監視部２６１は、環境データ注意情報を自動運転要否判定部２６２に供給する。自動運転要否判定部２６２は、供給された環境データ注意情報と、空調機３の現在の運転状態と、に基づいて、空調機３に対する自動運転制御の実行要否を判定する（ステップＳ１０３）。
【００４１】
一方、全ての環境データが、何れも対応する基準範囲に収まっている場合（ステップＳ１０２；ＹＥＳ）、制御部２６は、所定時間（例えば、１分間）、処理の実行をウエイト（待機）する（ステップＳ１０４）。その後、制御部２６による処理は、ステップＳ１０１に戻る。
【００４２】
ステップＳ１０３で、自動運転制御の実行が必要であると判定した場合（ステップＳ１０３；ＹＥＳ）、自動運転要否判定部２６２は、前述した変更要求情報を自動運転許可問合部２６３に供給する。すると、自動運転許可問合部２６３は、供給された変更要求情報に基づいた自動運転許可画面（図５、図６参照）を生成し、ユーザインタフェース部２０の表示部に表示させる（ステップＳ１０５）。一方、自動運転制御の実行が必要でないと判定した場合（ステップＳ１０３；ＮＯ）、制御部２６は、所定時間、処理の実行をウエイトする（ステップＳ１０４）。その後、制御部２６による処理は、ステップＳ１０１に戻る。
【００４３】
ユーザにより、上記の自動運転許可画面にて、ＯＫボタンが押下操作された場合（ステップＳ１０６；ＹＥＳ）、自動運転許可問合部２６３は自動運転許可画面を閉じる。また、自動運転実行部２６４は、自動運転要否判定部２６２による判定で求められた他の運転状態となるように空調機３に対する運転制御を行う（ステップＳ１０７）。
【００４４】
一方、ユーザにより、上記の自動運転許可画面にて、キャンセルボタンが押下操作された場合（ステップＳ１０８；ＹＥＳ）、自動運転許可問合部２６３は自動運転許可画面を閉じる。そして、制御部２６は、この自動運転制御処理を終了する。
【００４５】
ステップＳ１０９では、自動運転許可問合部２６３は、上記の自動運転許可画面を表示してからの経過時間が所定時間（例えば、３分間）に達したか否かを判定する。自動運転許可画面を表示してからの経過時間が所定時間に達していない場合（ステップＳ１０９；ＮＯ）、制御部２６による処理は、ステップＳ１０６に戻る。一方、自動運転許可画面を表示してからの経過時間が所定時間に達した場合（ステップＳ１０９；ＹＥＳ）、自動運転許可問合部２６３は自動運転許可画面を閉じる。また、自動運転実行部２６４は、自動運転要否判定部２６２による判定で求められた他の運転状態となるように空調機３に対する運転制御を行う（ステップＳ１０７）。
【００４６】
自動運転実行部２６４による空調機３に対する運転制御により、空調機３は、自動運転要否判定部２６２による判定で求められた運転状態となるように動作する。
【００４７】
以上説明したように、本発明の本実施形態の空調システム１によれば、空気温度や湿度等の環境データが、予め設定した基準範囲から外れた場合、空調機３に対する自動運転制御の実行が必要であるか否か、即ち、空調機３の現行の運転状態を変更する必要があるか否かを自動的に判定する。そして、自動運転制御の実行が必要であると判定すると、ユーザに対して、自動運転の許可をユーザに問い合せるための自動運転許可画面を表示する。
【００４８】
ユーザは、かかる自動運転許可画面に設けられているボタン（ＯＫボタン、キャンセルボタン）を押下操作することで、リモートコントローラ２に対して、自動運転制御の実行の許可、又は、不許可を指示することができる。したがって、ユーザの現在のニーズに即した空調を実現することができる。
【００４９】
また、ユーザが、自動運転許可画面を介して操作を行わなかった場合は、上記ＯＫボタンが押下された場合と同様、空調機３に対する自動運転制御を実行するため、ユーザは通常通りの空調を所望する場合には、リモートコントローラ２を操作する必要がなく、従来と比較しても利便性を損なうことはない。
【００５０】
さらに、各センサ（温度センサ２１、湿度センサ２２、人感センサ２３）は、リモートコントローラ２の本体に設置されているため、各センサの計測結果を容易且つ正確に取得することができ、また、生産性もよいというメリットを有する。
【００５１】
なお、リモートコントローラ２の構成にスピーカ等をさらに追加して、自動運転許可問合部２６３により、上記の自動運転許可画面を表示する際、このスピーカ等から所定の音声やブザー音等を出力するようにしてもよい。また、あるいは、リモートコントローラ２の構成にＬＥＤ等の表示器をさらに追加し、かかる表示器から所定色の光を点滅等させるようにしてもよい。このようにすれば、自動運転許可画面が表示された旨を、ユーザにより確実に報知することができる。
【００５２】
また、上記実施形態では、自動運転要否判定部２６２は、空調機３が冷房運転中、空気温度が下限温度（例えば、２０℃）より低い場合に、空調機３の運転停止が必要であると判定していたが、現在の運転能力を落とす制御（例えば、目標温度を所定温度上昇させたり、風量を所定段階低下させる等の制御）が必要であると判定してもよい。
【００５３】
（実施形態２）
続いて、本発明の実施形態２に係る空調システムについて説明する。なお、以下の説明において、実施形態１と共通する構成要素等については、同一の符号を付し、その説明を省略する。
【００５４】
図８は、本実施形態のリモートコントローラ２が備える制御部２６の機能構成を示すブロック図である。図８に示すように、本実施形態では、実施形態１と比較し、自動運転情報構築部２６５が新たに追加されている。
【００５５】
自動運転情報とは、環境データと、ユーザによる空調操作の内容と、を対応付けた情報であり、データ記憶部２５に記憶される。自動運転情報構築部２６５は、ユーザによる空調操作が行われた際の当該操作内容と、当該時点の環境データと、を含む操作履歴データを統計的に処理する等して、環境データと、操作内容との対応付けを学習し、自動運転情報を構築する。
【００５６】
本実施形態では、自動運転要否判定部２６２は、環境データ監視部２６１により、基準範囲に収まっていない環境データが存在すると判定された場合、環境データ監視部２６１から供給された環境データ注意情報と、空調機３の現在の運転状態と、上記の自動運転情報と、に基づいて、自動運転制御実行の要否を判定する。この際、自動運転要否判定部２６２は、現在の環境データと適合する操作内容を自動運転情報から抽出し、かかる抽出した操作内容等に基づいて、現在の運転状態とは異なる他の運転状態を求める。
【００５７】
そして、自動運転実行部２６４は、ユーザにより、自動運転許可画面にて、ＯＫボタンが押下操作された場合、又は、自動運転許可画面の表示中に、ユーザによる操作が行われなかった場合、自動運転要否判定部２６２によって求めれられた他の運転状態となるように空調機３の運転を制御する。
【００５８】
以上のように、本実施形態の空調システムによれば、ユーザによって実際に行われた空調操作を学習することで構築した自動運転情報を使用して、自動運転制御を実行する。したがって、この空調システムを導入する環境により即した空調を実現することが可能となる。
【００５９】
なお、自動運転要否判定部２６２より求められた他の運転状態に基づいて、自動運転許可問合部２６３は、図９、図１０に示すような、ユーザによる詳細な設定操作ができるようにした自動運転許可画面を表示してもよい。
【００６０】
例えば、図９では、ユーザによって、目標温度として、２５．５℃が設定される可能性が高い場合の自動運転許可画面の一例が示されている。この場合、ユーザは、上、下スクロールボタンを操作して、２５．５℃近辺の温度に容易に変更することができる。そして、ユーザによって、ＯＫボタンが押下操作された際にスクロール画面の中央に位置する温度が、目標温度として設定される。あるいは、ユーザによってＯＫボタン及びキャンセルボタンの何れも押下操作されない場合は、目標温度として、２５．５℃が設定され、自動運転が実行される。
【００６１】
また、図１０では、ユーザによって、目標温度として、２８．０℃が設定される可能性が高い場合の自動運転許可画面の一例が示されている。この場合、ユーザは、下スクロールボタンを操作して、２８．０℃より数℃程度低い温度に容易に変更することができる。そして、ユーザによって、ＯＫボタンが押下操作された際にスクロール画面の上段に位置する温度が、目標温度として設定される。あるいは、ユーザによってＯＫボタン及びキャンセルボタンの何れも押下操作されない場合は、目標温度として、２８．０℃が設定され、自動運転が実行される。
【００６２】
このように詳細設定できる操作画面を自動運転許可画面に含めて表示することで、ユーザは、自動運転制御による目標温度等を変更したい場合、その操作が容易となる。
【００６３】
（実施形態３）
続いて、本発明の実施形態３に係る空調システムについて説明する。なお、以下の説明において、実施形態１と共通する構成要素等については、同一の符号を付し、その説明を省略する。
【００６４】
図１１は、本実施形態のリモートコントローラ２が備える制御部２６の機能構成を示すブロック図である。図１１に示すように、本実施形態では、実施形態１と比較し、予測部２６６と、予測表示部２６７と、が新たに追加されている。
【００６５】
予測部２６６は、人感センサ２３により人の動きが検出された際、又は、ユーザによってユーザインタフェース部２０の入力部を介して所定操作が行われた際、空気温度及び湿度の今後の所定時間における推移を予測する。例えば、予測部２６６は、現在の空気温度及び湿度と、空調機３の現在の運転状態と、室内機３の設置位置やエリアＡ（空調対象空間）についての情報等と、に基づいて、上記の予測を行う。
【００６６】
予測表示部２６７は、予測部２６６による予測推移の結果を所定態様で表した予測推移画面を表示する（図１２参照）。図１２の例では、現時点（１０時）から４時間（１４時まで）における空気温度及び湿度の予測推移が示されている。
【００６７】
このように、空気温度及び湿度の予測推移を示すことで、ユーザは、操作をするべきか否かの判断を的確且つ容易に行うことができ、結果として、頻繁な空調操作を抑えることができる。これにより、空調機３の運転効率が向上し、省エネ化が図れる。
【００６８】
なお、本実施形態の変形例として、環境データ取得部２６０が、ユーザによる空調操作時から所定の時間間隔で温度センサ２１及び湿度センサ２２から、それぞれ空気温度及び湿度を取得し、これを時系列的にＲＡＭやデータ記憶部２５に保存するようにしてもよい。そして、予測表示部２６７は、予測推移画面を表示する際、図１３に示すように、操作時から現時点までの空気温度及び湿度の推移も含めて表示してもよい。
【００６９】
本発明は、上記各実施形態に限定されず、本発明の要旨を逸脱しない範囲での種々の変更は勿論可能である。
【００７０】
例えば、各センサ（温度センサ２１、湿度センサ２２、人感センサ２３）をリモートコントローラ２と別体化してもよい。この場合、各センサをリモートコントローラ２の近傍に設置し、各センサとリモートコントローラ２とを有線又は無線にてデータ通信可能に接続する構成にすればよい。
【００７１】
また、リモートコントローラ２は、温度センサ２１、湿度センサ２２、人感センサ２３の計測結果に基づく各環境データの他にも様々な環境データを取得し、空調制御等に使用してもよい。例えば、図１４に示すように、リモートコントローラ２に照度センサ２７を設置してもよい。この場合、リモートコントローラ２の自動運転要否判定部２６２は、照度センサ２７の計測結果（照度）が、予め設定した下限値（例えば、５００ルクス）を下回った場合、空調機３の運転を停止させたり、あるいは、空調機３の能力を低下させる運転制御が必要であると判定してもよい。
【００７２】
また、リモートコントローラ２は、照度センサ２７の計測結果を空調制御以外に使用してもよい。例えば、リモートコントローラ２は、照度センサ２７の計測結果に基づいて、ユーザインタフェース部２０が備える図示しないバックライトのＯＮ／ＯＦＦを切り替えてもよい。例えば、照度が、予め設定した下限値（例えば、５００ルクス）を下回った場合、バックライトをＯＮにし、予め設定した上限値（例えば、１０００ルクス）を上回った場合、バックライトをＯＦＦにする。
【００７３】
また、リモートコントローラ２は、空調機３のみならず、他の種類の設備機器を制御してもよい。図１５に示す空調システム１Ａは、例えば、オフィスビル内の所定の制御対象空間（エリアＡ）の空調及び照明を行うためのシステムであり、リモートコントローラ２と、空調機３と、照明コントローラ５と、照明器６と、を含んで構成される。
【００７４】
照明コントローラ５は、ネットワーク４に接続し、リモートコントローラ２からの制御信号に基づいて照明器６の動作制御を行う。なお、照明コントローラ５は、図示しないユーザインタフェース部を備え、かかるユーザインタフェース部を介したユーザ操作によっても照明器６の動作制御を行う。
【００７５】
照明器６は、照明コントローラ５と有線又は無線にて通信可能に接続し、エリアＡの照明を行う。照明器６は、例えば、蛍光灯やＬＥＤを備え、照明コントローラ５からの制御信号（照明制御信号）に従って、消灯・点灯・点滅動作を行ったり、照度や色温度等を変更した照明を行う。
【００７６】
このような空調システム１Ａにおいて、リモートコントローラ２は、例えば、人感センサ２３の計測結果に基づく前述した動き頻度が、予め設定した下限値（例えば、１回）を下回っている場合、照明コントローラ５に対して、照明器６を消灯させるための制御信号、あるいは、照明器６を最低照度（例えば、１００ルクス）で照明させるための制御信号を送信する。また、照明器６が消灯中であって、上記の動き頻度が下限値以上となった場合、リモートコントローラ２は、照明コントローラ５に対して、照明器６を所定の照度で照明させるための制御信号を送信する。
【００７７】
また、上記各実施形態のリモートコントローラ２が実行したプログラムを、既存のパーソナルコンピュータ（ＰＣ）や携帯情報端末等に適用することで、当該ＰＣ等を本発明に係るリモートコントローラとして機能させることも可能である。
【００７８】
このようなプログラムの配布方法は任意であり、例えば、ＣＤ−ＲＯＭ（Compact Disk Read-Only Memory）、ＤＶＤ（Digital Versatile Disk）、ＭＯ（Magneto Optical Disk）、メモリカードなどのコンピュータ読み取り可能な記録媒体に格納して配布してもよいし、インターネットなどの通信ネットワークを介して配布してもよい。
【００７９】
本発明は、本発明の広義の精神と範囲を逸脱することなく、様々な実施形態及び変形が可能とされるものである。また、上述した実施形態は、本発明を説明するためのものであり、本発明の範囲を限定するものではない。つまり、本発明の範囲は、実施形態ではなく、特許請求の範囲によって示される。そして、特許請求の範囲内及びそれと同等の発明の意義の範囲内で施される様々な変形が、本発明の範囲内とみなされる。
【産業上の利用可能性】
【００８０】
本発明は、オフィスビル等に設置される空調システムに好適に採用され得る。
【符号の説明】
【００８１】
１，１Ａ  空調システム、２  リモートコントローラ、３  空調機、４  ネットワーク、５  照明コントローラ、６  照明器、２０  ユーザインタフェース部、２１  温度センサ、２２  湿度センサ、２３  人感センサ、２４  通信部、２５  データ記憶部、２６  制御部、２７  照度センサ、２６０  環境データ取得部、２６１  環境データ監視部、２６２  自動運転要否判定部、２６３  自動運転許可問合部、２６４  自動運転実行部、２６５  自動運転情報構築部、２６６  予測部、２６７  予測表示部
【図１】
2014076793.tif 000003
【図２】
2014076793.tif 000004
【図３】
2014076793.tif 000005
【図４】
2014076793.tif 000006
【図５】
2014076793.tif 000007
【図６】
2014076793.tif 000008
【図７】
2014076793.tif 000009
【図８】
2014076793.tif 000010
【図９】
2014076793.tif 000011
【図１０】
2014076793.tif 000012
【図１１】
2014076793.tif 000013
【図１２】
2014076793.tif 000014
【図１３】
2014076793.tif 000015
【図１４】
2014076793.tif 000016
【図１５】
2014076793.tif 000017
【手続補正書】
【提出日】平成27年3月25日(2015.3.25)
【手続補正１】
【補正対象書類名】明細書
【補正対象項目名】０００９
【補正方法】変更
【補正の内容】
【０００９】
上記目的を達成するため、本発明に係るリモートコントローラは、
空調機の運転を制御するリモートコントローラであって、
前記空調機と通信を行う通信部と、
ユーザから入力操作を受け付けると共に、情報の表示を行うユーザインタフェース部と、
人の動きを検出する人感センサと、
前記空調機の空調対象空間における所定の物理量に基づく環境データを取得する環境データ取得部と、
前記人感センサにより人の動きが検出されると、前記環境データの今後の所定時間における推移を予測する予測部と、
前記予測部による予測結果を所定態様で前記ユーザインタフェース部に表示させる予測表示部と、を備える。
【手続補正２】
【補正対象書類名】明細書
【補正対象項目名】００１０
【補正方法】変更
【補正の内容】
【００１０】
本発明によれば、自動運転という利便性を維持しつつ、ユーザのニーズにより即した空調を実現することができる。
【手続補正３】
【補正対象書類名】特許請求の範囲
【補正対象項目名】全文
【補正方法】変更
【補正の内容】
【特許請求の範囲】
【請求項１】
空調機の運転を制御するリモートコントローラであって、
前記空調機と通信を行う通信部と、
ユーザから入力操作を受け付けると共に、情報の表示を行うユーザインタフェース部と、
人の動きを検出する人感センサと、
前記空調機の空調対象空間における所定の物理量に基づく環境データを取得する環境データ取得部と、
前記人感センサにより人の動きが検出されると、前記環境データの今後の所定時間における推移を予測する予測部と、
前記予測部による予測結果を所定態様で前記ユーザインタフェース部に表示させる予測表示部と、を備えるリモートコントローラ。
【請求項２】
前記環境データに基づいて、前記空調機を現在の運転状態とは異なる他の運転状態に変更するための自動運転制御の要否を判定する自動運転要否判定部と、
前記自動運転要否判定部によって前記自動運転制御の必要があると判定された場合、前記自動運転制御の許可をユーザに問い合わせるための自動運転許可画面を前記ユーザインタフェース部に所定時間表示させる自動運転許可問合部と、
前記自動運転許可画面を介して、ユーザによって前記自動運転制御を許可する旨の操作が行われた場合、又は、ユーザによって前記自動運転許可画面を介した操作が行われなかった場合、前記空調機に対して、前記他の運転状態に変更するための自動運転制御を行い、一方、ユーザによって前記自動運転制御を許可しない旨の操作が行われた場合、前記自動運転制御を行わない自動運転実行部と、を備える請求項１に記載のリモートコントローラ。
【請求項３】
前記環境データと、ユーザによる空調に関する操作内容と、を対応付けた自動運転情報を統計的に学習することで構築する自動運転情報構築部と、
前記自動運転情報を記憶するデータ記憶部と、をさらに備え、
前記自動運転要否判定部は、前記自動運転情報も加味して前記判定を行う請求項２に記載のリモートコントローラ。
【請求項４】
前記自動運転許可問合部は、前記自動運転情報に基づいて、前記自動運転制御における詳細設定をユーザから受け付けるための操作画面を前記自動運転許可画面に含めて表示する、請求項３に記載のリモートコントローラ。
【請求項５】
前記物理量を計測し、計測した結果を前記環境データ取得部に出力するセンサを更に備える、請求項１から４の何れか１項に記載のリモートコントローラ。
【請求項６】
請求項１から５の何れか１項に記載のリモートコントローラと、空調機と、を備える空調システム。
【請求項７】
人感センサを備えるコンピュータを、
空調機の空調対象空間における所定の物理量に基づく環境データを取得する環境データ取得部、
前記人感センサにより人の動きが検出されると、前記環境データの今後の所定時間における推移を予測する予測部、
前記予測部による予測結果を所定態様でユーザインタフェース部に表示させる予測表示部、として機能させるプログラム。
【手続補正書】
【提出日】平成27年11月25日(2015.11.25)
【手続補正１】
【補正対象書類名】明細書
【補正対象項目名】０００９
【補正方法】変更
【補正の内容】
【０００９】
上記目的を達成するため、本発明に係るリモートコントローラは、
空調機の運転を制御するリモートコントローラであって、
前記空調機と通信を行う通信部と、
ユーザから入力操作を受け付けると共に、情報の表示を行うユーザインタフェース部と、
前記空調機の空調対象空間における所定の物理量に基づく環境データを取得する環境データ取得部と、
前記環境データに基づいて、前記空調機を現在の運転状態とは異なる他の運転状態に変更するための自動運転制御の要否を判定する自動運転要否判定部と、
前記自動運転要否判定部によって前記自動運転制御の必要があると判定された場合、前記自動運転制御の許可をユーザに問い合わせるための自動運転許可画面を前記ユーザインタフェース部に所定時間表示させる自動運転許可問合部と、
前記自動運転許可画面を介して、ユーザによって前記自動運転制御を許可する旨の操作が行われた場合、又は、ユーザによって前記自動運転許可画面を介した操作が行われなかった場合、前記空調機に対して、前記他の運転状態に変更するための自動運転制御を行い、一方、ユーザによって前記自動運転制御を許可しない旨の操作が行われた場合、前記自動運転制御を行わない自動運転実行部と、
前記環境データと、ユーザによる空調に関する操作内容と、を対応付けた自動運転情報を統計的に学習することで構築する自動運転情報構築部と、を備え、
前記自動運転要否判定部は、前記自動運転情報も加味して前記判定を行い、
前記自動運転許可問合部は、前記自動運転情報に基づいて得られた目標値を表示すると共に前記目標値を予め定めた値ずつ加算又は減算する詳細設定をユーザから受け付けるための操作画面を前記自動運転許可画面に含めて表示する。
【手続補正２】
【補正対象書類名】特許請求の範囲
【補正対象項目名】全文
【補正方法】変更
【補正の内容】
【特許請求の範囲】
【請求項１】
空調機の運転を制御するリモートコントローラであって、
前記空調機と通信を行う通信部と、
ユーザから入力操作を受け付けると共に、情報の表示を行うユーザインタフェース部と、
前記空調機の空調対象空間における所定の物理量に基づく環境データを取得する環境データ取得部と、
前記環境データに基づいて、前記空調機を現在の運転状態とは異なる他の運転状態に変更するための自動運転制御の要否を判定する自動運転要否判定部と、
前記自動運転要否判定部によって前記自動運転制御の必要があると判定された場合、前記自動運転制御の許可をユーザに問い合わせるための自動運転許可画面を前記ユーザインタフェース部に所定時間表示させる自動運転許可問合部と、
前記自動運転許可画面を介して、ユーザによって前記自動運転制御を許可する旨の操作が行われた場合、又は、ユーザによって前記自動運転許可画面を介した操作が行われなかった場合、前記空調機に対して、前記他の運転状態に変更するための自動運転制御を行い、一方、ユーザによって前記自動運転制御を許可しない旨の操作が行われた場合、前記自動運転制御を行わない自動運転実行部と、
前記環境データと、ユーザによる空調に関する操作内容と、を対応付けた自動運転情報を統計的に学習することで構築する自動運転情報構築部と、を備え、
前記自動運転要否判定部は、前記自動運転情報も加味して前記判定を行い、
前記自動運転許可問合部は、前記自動運転情報に基づいて得られた目標値を表示すると共に前記目標値を予め定めた値ずつ加算又は減算する詳細設定をユーザから受け付けるための操作画面を前記自動運転許可画面に含めて表示する、リモートコントローラ。
【請求項２】
空調機の運転を制御するリモートコントローラであって、
前記空調機と通信を行う通信部と、
ユーザから入力操作を受け付けると共に、情報の表示を行うユーザインタフェース部と、
前記空調機の空調対象空間における所定の物理量に基づく環境データであって、少なくとも照度を含む環境データを取得する環境データ取得部と、
前記環境データに基づいて、前記空調機を現在の運転状態とは異なる他の運転状態に変更するための自動運転制御の要否を判定する自動運転要否判定部と、
前記自動運転要否判定部によって前記自動運転制御の必要があると判定された場合、前記自動運転制御の許可をユーザに問い合わせるための自動運転許可画面を前記ユーザインタフェース部に所定時間表示させる自動運転許可問合部と、
前記自動運転許可画面を介して、ユーザによって前記自動運転制御を許可する旨の操作が行われた場合、又は、ユーザによって前記自動運転許可画面を介した操作が行われなかった場合、前記空調機に対して、前記他の運転状態に変更するための自動運転制御を行い、一方、ユーザによって前記自動運転制御を許可しない旨の操作が行われた場合、前記自動運転制御を行わない自動運転実行部と、
前記環境データに含まれる照度が予め設定した下限値を下回った場合に前記ユーザインタフェース部が有するバックライトをＯＮにし、前記照度が予め設定した上限値を上回った場合に前記バックライトをＯＦＦにする切替部と、を備えるリモートコントローラ。
【請求項３】
前記環境データと、ユーザによる空調に関する操作内容と、を対応付けた自動運転情報を統計的に学習することで構築する自動運転情報構築部と、
前記自動運転情報を記憶するデータ記憶部と、をさらに備え、
前記自動運転要否判定部は、前記自動運転情報も加味して前記判定を行う請求項２に記載のリモートコントローラ。
【請求項４】
前記自動運転許可問合部は、前記自動運転情報に基づいて、前記自動運転制御における詳細設定をユーザから受け付けるための操作画面を前記自動運転許可画面に含めて表示する、請求項３に記載のリモートコントローラ。
【請求項５】
前記物理量を計測し、計測した結果を前記環境データ取得部に出力するセンサを更に備える、請求項１から４の何れか１項に記載のリモートコントローラ。
【請求項６】
請求項１から５の何れか１項に記載のリモートコントローラと、空調機と、を備える空調システム。
【請求項７】
コンピュータを、
空調機の空調対象空間における所定の物理量に基づく環境データを取得する環境データ取得部、
前記環境データに基づいて、前記空調機を現在の運転状態とは異なる他の運転状態に変更するための自動運転制御の要否を判定する自動運転要否判定部、
前記自動運転要否判定部によって前記自動運転制御の必要があると判定された場合、前記自動運転制御の許可をユーザに問い合わせるための自動運転許可画面をユーザインタフェース部に所定時間表示させる自動運転許可問合部、
前記自動運転許可画面を介して、ユーザによって前記自動運転制御を許可する旨の操作が行われた場合、又は、ユーザによって前記自動運転許可画面を介した操作が行われなかった場合、前記空調機に対して、前記他の運転状態に変更するための自動運転制御を行い、一方、ユーザによって前記自動運転制御を許可しない旨の操作が行われた場合、前記自動運転制御を行わない自動運転実行部、
前記環境データと、ユーザによる空調に関する操作内容と、を対応付けた自動運転情報を統計的に学習することで構築する自動運転情報構築部、として機能させ、
前記自動運転要否判定部は、前記自動運転情報も加味して前記判定を行い、
前記自動運転許可問合部は、前記自動運転情報に基づいて得られた目標値を表示すると共に前記目標値を予め定めた値ずつ加算又は減算する詳細設定をユーザから受け付けるための操作画面を前記自動運転許可画面に含めて表示する、プログラム。
【請求項８】
コンピュータを、
空調機の空調対象空間における所定の物理量に基づく環境データであって、少なくとも照度を含む環境データを取得する環境データ取得部、
前記環境データに基づいて、前記空調機を現在の運転状態とは異なる他の運転状態に変更するための自動運転制御の要否を判定する自動運転要否判定部、
前記自動運転要否判定部によって前記自動運転制御の必要があると判定された場合、前記自動運転制御の許可をユーザに問い合わせるための自動運転許可画面をユーザインタフェース部に所定時間表示させる自動運転許可問合部、
前記自動運転許可画面を介して、ユーザによって前記自動運転制御を許可する旨の操作が行われた場合、又は、ユーザによって前記自動運転許可画面を介した操作が行われなかった場合、前記空調機に対して、前記他の運転状態に変更するための自動運転制御を行い、一方、ユーザによって前記自動運転制御を許可しない旨の操作が行われた場合、前記自動運転制御を行わない自動運転実行部、
前記環境データに含まれる照度が予め設定した下限値を下回った場合に前記ユーザインタフェース部が有するバックライトをＯＮにし、前記照度が予め設定した上限値を上回った場合に前記バックライトをＯＦＦにする切替部、として機能させるプログラム。
【手続補正書】
【提出日】平成28年5月20日(2016.5.20)
【手続補正１】
【補正対象書類名】特許請求の範囲
【補正対象項目名】全文
【補正方法】変更
【補正の内容】
【特許請求の範囲】
【請求項１】
空調機の運転を制御するリモートコントローラであって、
前記空調機と通信を行う通信部と、
ユーザから入力操作を受け付けると共に、情報の表示を行うユーザインタフェース部と、
前記空調機の空調対象空間における所定の物理量に基づく環境データを取得する環境データ取得部と、
前記環境データに基づいて、前記空調機を現在の運転状態とは異なる他の運転状態に変更するための自動運転制御の要否を判定する自動運転要否判定部と、
前記自動運転要否判定部によって前記自動運転制御の必要があると判定された場合、前記自動運転制御の許可をユーザに問い合わせるための自動運転許可画面を前記ユーザインタフェース部に所定時間表示させる自動運転許可問合部と、
前記自動運転許可画面を介して、ユーザによって前記自動運転制御を許可する旨の操作が行われた場合、又は、ユーザによって前記自動運転許可画面を介した操作が行われなかった場合、前記空調機に対して、前記他の運転状態に変更するための自動運転制御を行い、一方、ユーザによって前記自動運転制御を許可しない旨の操作が行われた場合、前記自動運転制御を行わない自動運転実行部と、
前記環境データと、ユーザによる空調に関する操作内容と、を対応付けた自動運転情報を統計的に学習することで構築する自動運転情報構築部と、を備え、
前記自動運転要否判定部は、前記自動運転情報も加味して前記判定を行い、
前記自動運転許可問合部は、前記自動運転情報に基づいて得られた目標値を表示すると共に前記目標値を予め定めた値ずつ加算又は減算する詳細設定をユーザから受け付けるための操作画面を前記自動運転許可画面に含めて表示する、リモートコントローラ。
【請求項２】
前記物理量を計測し、計測した結果を前記環境データ取得部に出力するセンサを更に備える、請求項１に記載のリモートコントローラ。
【請求項３】
請求項１又は２に記載のリモートコントローラと、空調機と、を備える空調システム。
【請求項４】
コンピュータを、
空調機の空調対象空間における所定の物理量に基づく環境データを取得する環境データ取得部、
前記環境データに基づいて、前記空調機を現在の運転状態とは異なる他の運転状態に変更するための自動運転制御の要否を判定する自動運転要否判定部、
前記自動運転要否判定部によって前記自動運転制御の必要があると判定された場合、前記自動運転制御の許可をユーザに問い合わせるための自動運転許可画面をユーザインタフェース部に所定時間表示させる自動運転許可問合部、
前記自動運転許可画面を介して、ユーザによって前記自動運転制御を許可する旨の操作が行われた場合、又は、ユーザによって前記自動運転許可画面を介した操作が行われなかった場合、前記空調機に対して、前記他の運転状態に変更するための自動運転制御を行い、一方、ユーザによって前記自動運転制御を許可しない旨の操作が行われた場合、前記自動運転制御を行わない自動運転実行部、
前記環境データと、ユーザによる空調に関する操作内容と、を対応付けた自動運転情報を統計的に学習することで構築する自動運転情報構築部、として機能させ、
前記自動運転要否判定部は、前記自動運転情報も加味して前記判定を行い、
前記自動運転許可問合部は、前記自動運転情報に基づいて得られた目標値を表示すると共に前記目標値を予め定めた値ずつ加算又は減算する詳細設定をユーザから受け付けるための操作画面を前記自動運転許可画面に含めて表示する、プログラム。
【国際調査報告】
2014076793.tif 000018
2014076793.tif 000019
2014076793.tif 000020
2014076793.tif 000021